【手続補正書】
【提出日】平成21年8月6日(2009.8.6)
【手続補正１】
【補正対象書類名】明細書
【補正対象項目名】００７７
【補正方法】変更
【補正の内容】
【００７７】
１．５  さらに別の、広角で、被写界の深い、近焦点の光学系
図５は、本発明のさらに別の実施形態による二重広角の、被写界の深い、近焦点の光学系１５００を図示したものである。二重レンズ構成１５００は、航空機の機体（図示せず）内の大きさが固定された仕切り部またはカメラポートでの利用に適応させたものである。二つのマクロリレーレンズ１５１０、１５１２は所定の位置に固定されており、それぞれが各負レンズユニット１５２０、１５２２と向かい合い、光学的に整列されている。例えば、マクロリレーレンズ１５１０、１５１２はＦ２．８マイクロニコンマクロリレーレンズで、Ｆ２．８の性能をもたらすものであってもよく、日中はシャッターを優先にしたカメラ設定を、夜間は開口の優先を提供し得る。例えば、負レンズユニットは５５ｍｍの負レンズ群であり得る。マクロリレーレンズおよび負レンズユニットは、上述のように機能し構成され得る。
【手続補正２】
【補正対象書類名】明細書
【補正対象項目名】００７８
【補正方法】変更
【補正の内容】
【００７８】
負レンズユニット１５２０、１５２２はそれぞれが、各マクロリレーレンズ１５１０、１５１２に対して所定の位置に、金属製であり得る支持フレーム１５３０によって固定されている。このように、レンズバレルを必要としない。支持フレーム１５３０の下方に吊り下げられたガラスパネル１５４０は、航空機の機体の内部へ二重レンズ構成１５００を取り囲んでいる。本実施形態では、マクロリレーレンズと負レンズユニットとの組み合わせ１５１０、１５１２、および１５２０、１５２２のそれぞれは１００度の画角をもたらす。画角は重なっている。
【手続補正３】
【補正対象書類名】明細書
【補正対象項目名】００８５
【補正方法】変更
【補正の内容】
【００８５】
光学レンズ取付具１６３０のうち一つは、本発明の実施形態による直線前方視野のレンズ取付具である。この取付具１６３０は、カメラ１６００のズームレンズ１６１０と噛み合い係合するための結合機構１６３２を備えている。図６に示したように、結合機構１６３２自体は、カメラのズームレンズ１６１０の内部ねじ付き円筒形雌部材（図示せず）と噛み合い係合するための外部ねじ付き円筒形雄部材を備えている。本発明の範囲および趣旨から逸脱することなく、他の結合機構が使用可能である。例えば、バヨネット式クリップ装置を図６のねじ付き雄／雌結合機構１６３２の代わりとし、ズームレンズフードを相応に適応させてもよい。
【手続補正４】
【補正対象書類名】明細書
【補正対象項目名】００８８
【補正方法】変更
【補正の内容】
【００８８】
負レンズユニット１６４０は、細長いバレル１６３８の他端部に結合されている。当業者によく知られた多数の負レンズ素子および／または負レンズ群のうちいずれでも、本発明の範囲および趣旨から逸脱することなく実施可能である。任意で、バレル１６３８の端部の負レンズユニット１６４０を保護するために、取付具１６３０はレンズフード（図６に示すような）を有してもよい。結合機構１６３２、ディオプター１６３４、細長いバレル１６３８、負レンズユニット１６４０はすべてカメラ１６１０の光軸と同軸に並べられている。このように、本実施形態による光学レンズ取付具１６３０は、直線前方視野のバレル−レンズ取付具を形成している。
【手続補正５】
【補正対象書類名】明細書
【補正対象項目名】００９１
【補正方法】変更
【補正の内容】
【００９１】
結合機構１６６２には、バレル１６６８の一端部が直接（図示せず）結合されている。ここでもまた、例えば、バレル１６６８は１２インチから１８インチの長さを有し得るが、本発明の範囲および趣旨から逸脱することなく、他のバレルの長さが実施可能である。しかし、以下にさらに詳細に説明するように、バレル１６６８は回転機構１６６６によって結合機構１６６２に結合されることができ、これによりバレル１６６８は３６０度回転可能となっている。回転機構１６６６は、細長いバレルを３６０度回転させる回転リングアセンブリを備え得る。ここでもまた、図６に示すように、バレル１６６８は、ズームレンズ１６１０と係合するための結合機構１６６２よりも小さい直径を有している。このため、円筒形のすそ部を有する円錐台部が、細長いバレル１６６８または回転機構１６６６を結合機構１６６２に接続し得る。本実施形態では、バレル１６６８と結合機構１６６２との間にディオプター１６６４が配置されている。ディオプター１６６４は、以下に説明するように、ズームレンズの焦点を負レンズユニット１６７０に合わせるものである。
【手続補正６】
【補正対象書類名】明細書
【補正対象項目名】００９２
【補正方法】変更
【補正の内容】
【００９２】
細長いバレル１６６８の他端部には、傾斜プリズム部材１６７２が結合されている。図６に示す実施形態では、このプリズム部材１６７２は６０度の傾斜プリズムであるが、本発明の範囲および趣旨から逸脱することなく、他の角度が付いたプリズムが実施可能である。プリズム１６７２のバレル１６６８の縦軸に対して傾斜した面に、負レンズユニット１６７０が配置されている。ここでもまた、本発明の範囲および趣旨から逸脱することなく、当業者によく知られた多数の負レンズ素子および／または負レンズ群がいずれも実施可能である。また、取付具１６６０は、バレル１６６８のこの端部の負レンズユニット１６７０を保護するために、レンズフード（図６に示すような）を有してもよい。回転機構１６６６により、傾斜プリズム１６７２が３６０度まで回転可能となり、これにより負レンズユニット１６７０も３６０度まで回転可能となる。このように、本実施形態による光学レンズ取付具１６６０は斜め視野のバレル−レンズ取付具を形成している。
【手続補正７】
【補正対象書類名】明細書
【補正対象項目名】００９４
【補正方法】変更
【補正の内容】
【００９４】
２．３  別の斜め視野のバレル−レンズ取付具
本発明の別の実施形態による斜め視野のレンズ取付具を備えるさらに別の光学レンズ取付具１７６０を図７に示す。この取付具１７６０は、カメラ（図示せず）と噛み合い係合するための結合機構１７６２を備えている。この結合機構１７６２は結合機構１６３２と同一の構成および配置であることができ、結合機構１６３２を参照して説明したように適当な変更および代替が可能である。種々のカメラに適応させるために、他の実施形態と同様に様々な結合を用いることができる。
【手続補正８】
【補正対象書類名】明細書
【補正対象項目名】０１０３
【補正方法】変更
【補正の内容】
【０１０３】
３．１  二重スイベル光学レンズ取付具
図８は、本発明の実施形態による二重スイベル光学レンズ系１８７０の装置１８００を図示したものである。取付具１８７０は、カメラ１８１０、例えば、ビデオカメラまたはフィルムカメラとともに使用可能である。この系１８７０は、カメラ１８１０に取り付けられたズームレンズまたはマクロレンズ１８１２を有するカメラ１８１０用の二重スイベル光学レンズとして実施するものであり、カメラの光軸に沿って整列されている。このようなカメラの例としては、ズームレンズを有するソニー、ＪＶＣ、キャノンのビデオカメラ、またはズームレンズを有する１６ｍｍまたは３５ｍｍの映画用フィルムカメラがある。これらは、本発明の本実施形態および他の実施形態を実施し得るのに用いるカメラの例にすぎない。
【手続補正９】
【補正対象書類名】図面
【補正対象項目名】図７
【補正方法】変更
【補正の内容】
【図７】
2009505121.tif 000001
【手続補正１０】
【補正対象書類名】図面
【補正対象項目名】図８
【補正方法】変更
【補正の内容】
【図８】
2009505121.tif 000002
【手続補正１１】
【補正対象書類名】図面
【補正対象項目名】図９
【補正方法】変更
【補正の内容】
【図９】
2009505121.tif 000003